(57)【特許請求の範囲】
【請求項１】
無線通信を行うための無線通信手段を具備する無線通信装置であって、
装置固有情報を含む情報が予め書き込まれている第１の記憶手段と、
前記第１の記憶手段に予め書き込まれている情報に基づいて、前記無線通信手段が所定のネットワークに接続するための設定情報を生成する設定生成手段と、
前記設定生成手段によって生成された設定情報を記憶する第２の記憶手段と、
前記第２の記憶手段に記憶された前記設定情報を表示する際に、前記装置固有情報はユーザには認識できないように表示する第１の表示制御手段と、
を備える無線通信装置。
【請求項２】
前記第１の記憶手段には、前記所定のネットワークの識別名が予め書き込まれ、
前記設定生成手段は、前記所定のネットワークの識別名に基づいて、前記設定情報を生成する、請求項１に記載の無線通信装置。
【請求項３】
前記第１の表示制御手段は、前記第２の記憶手段に記憶された設定情報に含まれる文字を所定の記号に置き換えて表示する、請求項１に記載の無線通信装置。
【請求項４】
前記装置固有情報は、少なくとも前記ネットワークに接続するためのＩＤとパスワードを含む、請求項１に記載の無線通信装置。
【請求項５】
前記装置固有情報は、前記ネットワークに接続するためのＩＤ、パスワード、及び当該ＩＤとパスワードの有効期間の情報を含み、
前記有効期間が既に経過しているか否かを判断する判断手段と、
前記判断手段が、前記有効期間が既に経過していると判断した場合、有効期間が経過したことを表示する第２の表示制御手段と、
を更に備える、請求項１に記載の無線通信装置。
【請求項６】
計時動作を行うタイマを更に備え、
前記第２の記憶手段は、前記無線通信手段が前記ネットワークに初めて接続した初回アクセス日時を記憶し、
前記判断手段は、前記初回アクセス日時から前記有効期間が既に経過しているか否かを、前記タイマが計時する現在時刻に基づいて判断する、請求項５に記載の無線通信装置。
【請求項７】
ユーザの操作による設定情報の登録を受信する受信手段を更に備え、
前記受信手段が所定の形式の設定情報を受信すると、前記設定生成手段が、前記第１の記憶手段に予め書き込まれている情報に基づいて、前記無線通信手段の設定情報を生成する、請求項１に記載の無線通信装置。
【請求項８】
前記受信手段が空白のＩＤ及び空白のパスワードを含む情報を受信すると、前記設定生成手段が、前記第１の記憶手段に予め書き込まれている情報に基づいて、前記無線通信手段の設定情報を生成する、請求項７に記載の無線通信装置。
【請求項９】
前記第１の記憶手段には、所定のネットワークに接続するための装置固有情報が、無線通信装置の製造時に書き込まれる、請求項１に記載の無線通信装置。
【請求項１０】
無線通信を行うための無線通信手段を具備する無線通信装置の設定方法であって、
第１の記憶手段に予め書き込まれている、装置固有情報を含む情報に基づいて、前記無線通信手段が所定のネットワークに接続するための設定情報を生成し、
前記生成された設定情報を第２の記憶手段に記憶し、
前記第２の記憶手段に記憶された前記設定情報を表示する際に、前記装置固有情報はユーザには認識できないように表示する、
無線通信装置の設定方法。
【請求項１１】
前記第１の記憶手段に予め書き込まれている情報は、前記所定のネットワークの識別名を含み、
前記所定のネットワークの識別名に基づいて前記設定情報を生成する、請求項１０に記載の無線通信装置の設定方法。
【請求項１２】
前記装置固有情報は、少なくとも前記ネットワークに接続するためのＩＤとパスワードを含む、請求項１０に記載の無線通信装置の設定方法。
【請求項１３】
前記装置固有情報は、前記ネットワークに接続するためのＩＤ、パスワード、及び当該ＩＤとパスワードの有効期間の情報を含み、
前記有効期間が既に経過しているか否かを判断し、
前記有効期間が既に経過していると判断された場合、有効期間が経過したことを表示する、
請求項１０に記載の無線通信装置の設定方法。
【請求項１４】
タイマによって計時動作を行い、
前記無線通信手段が前記ネットワークに初めて接続した初回アクセス日時を、前記第２の記憶手段に記憶し、
前記初回アクセス日時から前記有効期間が既に経過しているか否かを、前記タイマが計時する現在時刻に基づいて判断する、請求項１３に記載の無線通信装置の設定方法。
【請求項１５】
ユーザ操作による設定情報の登録を受信し、
所定の形式の設定情報を受信すると、前記第１の記憶手段に予め書き込まれている情報に基づいて、前記無線通信手段の設定情報を生成する、請求項１０に記載の無線通信装置の設定方法。
【請求項１６】
前記第１の記憶手段には、所定のネットワークに接続するための装置固有情報が、前記無線通信装置の製造時に書き込まれる、請求項１０に記載の無線通信装置の設定方法。
【発明の詳細な説明】
【技術分野】
【０００１】
本発明は、無線通信装置及び無線通信装置の設定方法に関する。
【背景技術】
【０００２】
煩雑な無線ＬＡＮ（Local Area Network）の接続やセキュリティの設定を簡単にするための技術として、ＡＯＳＳ（Airstation One-touch Secure System）や、ＷＰＳ（WiFi Protected Setup）等がある。これらの技術を用いると、無線ＬＡＮアクセスポイントのボタンと、無線通信装置のボタンを押すだけで無線ＬＡＮの設定が完了する。しかしながら、駅やホテル等で提供されている公衆無線ＬＡＮサービスを利用する場合、例えば無線ＬＡＮアクセスポイントが天井などに取り付けられている等で、アクセスポイントのボタンが押しにくい場合がある。
【０００３】
また、公衆無線ＬＡＮを利用するには、公衆無線ＬＡＮサービスを提供している通信事業者から発行されたＩＤとパスワードを、ユーザの操作によって入力する必要がある。特に、キーボードを有さず、ソフトウェアキーボード等によって文字入力を行う小型の携帯型機器では、入力操作が煩雑になり、誤入力の可能性も高くなる。
【０００４】
このため、無線ＬＡＮ接続の設定に必要な情報を、無線通信装置の製造時に予め記憶させておくことが考えられる。例えば特許文献１には、インターネットサービスプロバイダに発呼する際に必要な設定情報を設定情報領域に記憶するインターネット接続装置及び接続保証方法が記載されている。この設定情報の記憶は、メーカーがインターネット接続装置の出荷前に行ったり、ユーザの操作によって行われたりする。
【特許文献１】特開２００３−８７４２７（段落００３１、図２）
【発明の開示】
【発明が解決しようとする課題】
【０００５】
無線通信装置の製造時に書き込まれる設定情報は、無線ＬＡＮサービスの提供者（プロバイダ）が提供するＩＤやパスワード等の無線ＬＡＮの設定情報である。これらの設定情報がユーザに視認できるように表示されてしまうと、ユーザは、この設定情報を用いて他の装置からもネットワークに接続できるようになってしまう。
【０００６】
プロバイダが設定情報の使用に制限を設け、設定情報の使用を所定の機器のみに限定したい場合、設定情報の使用を制限できるような接続装置が必要となる。
【０００７】
本発明は、前記のような問題に鑑みなされたもので、設定情報の使用を所定の機器のみに制限可能な無線通信装置を提供することを目的とする。
【課題を解決するための手段】
【０００８】
本発明の一態様による無線通信装置は、無線通信を行うための無線通信手段を具備する無線通信装置であって、装置固有情報を含む情報が予め書き込まれている第１の記憶手段と、前記第１の記憶手段に予め書き込まれている情報に基づいて、前記無線通信手段が所定のネットワークに接続するための設定情報を生成する設定生成手段と、前記設定生成手段によって生成された設定情報を記憶する第２の記憶手段と、前記第２の記憶手段に記憶された前記設定情報を表示する際に、前記装置固有情報はユーザには認識できないように表示する第１の表示制御手段と、を備える。
【発明の効果】
【０００９】
本発明の無線通信装置によれば、設定生成手段は、第１の記憶装置に予め書き込まれている装置固有情報を含む情報に基づいて、無線通信手段が所定のネットワークに接続するための設定情報を生成し、第２の記憶手段が生成された設定情報を記憶する。第１の表示制御手段は、装置固有情報をユーザが認識できないように表示する。
【００１０】
ユーザは装置固有情報を認識できず、この設定情報を他の機器に入力することもできない。このため、設定情報が所定の無線通信装置以外の機器で利用されることを防止可能となる。
【発明を実施するための最良の形態】
【００１１】
以下、図面を参照して本発明による無線通信装置の実施形態を説明する。
【００１２】
図１は、本発明の無線通信装置の実施形態に係る無線ＬＡＮ通信機能を有する情報機器（無線ＬＡＮ機器）１の電気的構成を示すブロック図である。無線ＬＡＮ機器１としては、例えばＰＤＡ（Personal Digital Assistant）、ＰＭＰ（Portable Media Player）、携帯電話等が用いられる。
【００１３】
この無線ＬＡＮ機器１は、図示しないＣＰＵや、メモリを有する制御部１１を備えている。制御部１１は、無線ＬＡＮ機器１の各部の動作を制御する。
【００１４】
ユーザは、操作部３を操作して操作指示や選択指示を入力することができる。ユーザによる操作部３の操作に応じた制御信号は、バスを介して制御部１１に送られる。表示部５は、例えば液晶ディスプレイからなり、制御部１１からの指示に応じて動画や静止画、文字情報等の画像データを表示する。
【００１５】
制御部１１には、ＲＯＭ２１が接続されている。ＲＯＭ２１は、制御部１１がプレーヤ１の動作を制御するために実行するプログラムデータを予め記憶する。また、ＲＯＭ２１の所定の記憶領域には、後述する既定設定情報が無線ＬＡＮ機器１の製造時に予め記憶される（図２参照）。
【００１６】
この無線ＬＡＮ機器１は、外部装置との間でデータの受け渡しを行うことができる。無線制御部１０２は、無線ＬＡＮ等の無線通信ネットワークに接続するために利用され、データの受け渡しは無線制御部１０２を介して行われる。無線制御部１０２は、２．４ＧＨｚ帯の電波を用いた（高速）通信規格のプロトコルに準拠したブルートゥース（Bluetooth）（登録商標）に対応していてもよいし、ＩＥＥＥ８０２．１１ａ／ｂ／ｇ／ｎに準拠した汎用の無線ＬＡＮに対応していてもよい。あるいはこの両方に対応していてもよい。無線ＬＡＮ機器１は、無線ＬＡＮ機器１から特定の範囲に位置し、所定の条件を満足するサーバコンピュータやパーソナルコンピュータ等の外部装置との間で、無線制御部１０２を介して、ワイヤレスに通信することができる。
【００１７】
無線ＬＡＮ機器１には、無線制御部１０２を介して、外部装置からのデータが供給される。また、無線ＬＡＮ機器１が有する図示しない記憶装置（ハードディスク装置やフラッシュメモリ等）に記憶されたデータが、無線制御部１０２を介して外部装置に供給されてもよい。
【００１８】
無線ＬＡＮ機器１はまた、無線制御部１０２を介してアクセスポイントに無線接続し、アクセスポイントを介してインターネット等のネットワークに接続することが可能である。無線ＬＡＮ機器１は、ネットワーク上に公開されている音声データ、画像データ、データコンテンツ等の様々なコンテンツをダウンロードすることもできる。ダウンロードされたコンテンツは記憶装置に格納される。また、無線ＬＡＮ機器１は、ダウンロードされたコンテンツを再生することも可能である。コンテンツの再生は、ＲＯＭ２１に予め記憶されている所定の再生プログラムに従って行われる。
【００１９】
また、無線ＬＡＮ機器１は、図示しないＵＳＢポートを介して外部装置に接続され、外部装置との間でデータの受け渡しを行うことも可能である。
【００２０】
制御部１１は、無線設定選択手段２０１、無線設定登録手段２０２、無線設定記憶手段２０３、無線設定手段２０４、無線設定生成手段２０５、設定読出手段２０６、タイマ２０７を備え、無線ＬＡＮの設定を行い、無線ＬＡＮ通信を制御する。
【００２１】
無線設定登録手段２０２、無線設定生成手段２０５及び設定読出手段２０６は、主に無線ＬＡＮ接続に必要な設定情報の登録と、登録された設定情報の変更のために用いられる。無線設定記憶手段２０３は、登録された設定情報を記憶するメモリ部である。無線設定選択手段２０１は、ユーザによる選択指示を受け付け、無線設定手段２０４が選択に応じた設定を行う。また、タイマ２０７は、計時動作を行う。
【００２２】
次に、無線ＬＡＮ機器１の動作について説明する。
【００２３】
無線通信機能を有する情報機器である無線ＬＡＮ機器１では、通常は、以下のように無線ＬＡＮ通信の設定を行なう。
【００２４】
まず、無線ＬＡＮ機器１のユーザは、操作部３の操作により、使用したい無線ＬＡＮアクセスポイントのネットワーク名（ＳＳＩＤ）、セキュリティの種類、暗号化の種類、暗号化鍵等の設定情報を入力し、入力された設定情報の登録指示を無線設定登録手段２０２に与える。無線設定登録手段２０２は、操作部３の操作による設定情報の登録指示を受け付ける。無線設定登録手段２０２は、受け付けた無線ＬＡＮアクセスポイントの設定情報を、無線設定生成手段２０５に送信する。無線設定生成手段２０５は、送られてきた設定情報を、無線制御手段１０２が使用可能な形式に変換する。変換された設定情報は、無線設定記憶手段２０３に記憶され、無線制御部１０２が無線ＬＡＮアクセスポイントにアクセスするための設定情報として登録される。
【００２５】
無線設定記憶手段２０３に記憶された無線ＬＡＮアクセスポイントの設定情報は、無線登録手段２０２によって読み出され、表示部５に表示されてユーザに提示することも可能である。既に無線設定記憶手段２０３に記憶されている他の無線ＬＡＮアクセスポイントの設定があれば、無線設定登録手段２０２は、この設定情報を読み出して表示部５に表示してユーザに提示することもできる。
【００２６】
ユーザが操作部３を操作して、表示部５に表示された設定情報を編集することも可能である。無線設定登録手段２０２は、ユーザからの編集された設定情報の登録指示も受け付け、編集された設定情報を無線設定生成手段２０５に送る。無線設定生成手段２０５は、送られてきた設定情報を、無線制御手段１０２が使用可能な形式に変換し、無線設定記憶手段２０３に記憶する。
【００２７】
無線設定記憶手段２０３に記憶、登録された無線ＬＡＮ設定情報を用いて無線ＬＡＮ通信を行う場合は、以下のように行われる。
【００２８】
無線ＬＡＮ通信を行う際には、無線設定選択手段２０１が、無線設定記憶手段２０３に登録されている無線ＬＡＮアクセスポイントの情報を読み出し、表示部５に表示してユーザに提示する。
【００２９】
無線設定選択手段２０１が表示部５に表示してユーザに提示する無線ＬＡＮアクセスポイントの情報は、無線ＬＡＮアクセスポイントを識別できるものであればよく、例えばネットワークのサービス名のみが表示されてもよい。
【００３０】
ユーザは、操作部３を操作して、表示部５に表示された無線ＬＡＮアクセスポイントから、所望のアクセスポイントを選択することができる。無線設定選択手段２０１は、ユーザの選択に応じて、選択された無線ＬＡＮアクセスポイントの情報を無線設定手段２０４に送信する。
【００３１】
無線設定手段２０４は、送信されてきた設定情報に基づいて、無線制御部１０２の設定を行う。無線制御部１０２はこの設定に従って、選択された無線ＬＡＮアクセスポイントに接続し、無線通信を行う。
【００３２】
以上のような通常の無線ＬＡＮの接続設定では、無線ＬＡＮアクセスポイントのネットワーク名（ＳＳＩＤ）、暗号化鍵、暗号化の種類等、設定項目数が多く、また、ＰＤＡ、ＰＭＰ、携帯電話等の小型の携帯機器では、文字入力が難しい。このため、ユーザには無線ＬＡＮが利用しづらいものとなっている。
【００３３】
そこで、以上のような通常の無線ＬＡＮ設定に加えて、本実施形態による無線ＬＡＮ機器１では、以下のような無線ＬＡＮ通信の設定も行えるようにする。
【００３４】
本実施形態による無線ＬＡＮ機器１のＲＯＭ２１に設けられた所定の記憶領域には、所定の公衆無線ＬＡＮサービスの提供者（プロバイダ）によって提供されているネットワークを利用するための設定情報が、無線ＬＡＮ機器１の製造過程において予め書き込まれている。この設定情報は、ネットワークを識別するための識別名（プロバイダが行っているサービスのサービス名等）及び、無線ＬＡＮ機器１に固有のＩＤとパスワードを含む。ＩＤ及びパスワードに有効期間が設けられている場合には、この有効期間の情報もＲＯＭ２１に予め書き込まれている。
【００３５】
ここで、製造時にＲＯＭ２１に書き込まれるＩＤ及びパスワードは、無線ＬＡＮ接続設定を簡略化して、ユーザが手軽に無線ＬＡＮを体験できるようにプロバイダが用意した体験用のＩＤ及びパスワードであってもよい。ユーザは、無線ＬＡＮの利用を体験して、必要だと思えば、正規のライセンス（正規のＩＤ及びパスワード）を取得する。このため、体験用のＩＤやパスワードには所定の有効期間が設けられ、ユーザが無線ＬＡＮ機器１を用いて最初に公衆無線ＬＡＮに接続してから一定の有効期間が過ぎてしまうと、この無線ＬＡＮ機器１では、体験用のＩＤ及びパスワードでは公衆無線ＬＡＮに接続できなくなるよう設定されることもある。また、このような体験用のＩＤ及びパスワードがユーザに視認可能であると、ユーザがこのＩＤとパスワードを読み取って他の装置でも利用することが考えられるが、これは、プロバイダの意図に反する場合がある。
【００３６】
以下では、予め製造時にその設定が書き込まれる無線ＬＡＮサービスを既定ネットワークと称し、既定ネットワークの設定情報を既定設定情報と称する。
【００３７】
ＲＯＭ２１に充分な記憶容量が確保されていれば、既定ネットワークのアクセスポイントへの接続に必要な当該既定ネットワークのサービス名（識別名）、ネットワーク名（ＳＳＩＤ）、暗号化鍵、ＩＤ、パスワード等全てを予め書き込んでおくことができる。一方、ＲＯＭ２１に充分な記憶容量が確保されていない場合は、既定ネットワークのサービス名と、無線ＬＡＮ機器１に固有の情報であるＩＤ、パスワードのみが書き込まれていてもよい。
【００３８】
公衆無線ＬＡＮサービスのネットワーク名、暗号化鍵、セキュリティの種類、暗号化の種類等は予め決まっており、長期に渡って変更されない。このため、無線設定生成手段２０５がこれらの情報を予め保持している場合、既定ネットワークのアクセスポイントに接続するためのサービス名、ＩＤ、パスワードのみがＲＯＭ２１の記憶領域に予め書き込まれていれば充分である。無線設定生成手段２０５は、保持している公衆無線ＬＡＮサービスのネットワーク名、暗号化鍵等の情報に基づいて、ＲＯＭ２１に予め書き込まれたサービス名、ＩＤ及びパスワードに応じたその他の設定情報を生成できる。
【００３９】
あるいは、既定ネットワークの無線ＬＡＮ通信設定をＲＯＭ２１の記憶領域に書き込まずに、予め無線設定記憶手段２０３に登録しておいてもよい。
【００４０】
図２は、無線ＬＡＮ機器１の製造時にＲＯＭ２１に書き込まれる既定設定情報の一例を示す。図２の例では、既定ネットワークである公衆無線ＬＡＮサービス（サービスＡ）のプロバイダが提供するＩＤ、パスワード及びその有効期間が予め記憶されている。
【００４１】
これらの既定ネットワークのアクセスポイントの設定情報は、無線ＬＡＮ機器１の初回起動時にＲＯＭ２１から読み出されて設定される。図３は、無線ＬＡＮ機器１の初回起動時に実行される、既定ネットワークの設定処理を示すフローチャートである。
【００４２】
この設定処理が起動されると、無線設定生成手段２０５は、既定ネットワークの無線ＬＡＮ設定情報（既定設定情報）が既に無線設定記憶手段２０３に記憶され、登録されているか否かを判断する（ブロックＡ１）。既定設定情報が、既に無線設定記憶手段２０３に登録されている場合には（ブロックＡ１でＹｅｓ）、処理を終了する。
【００４３】
既定設定情報が無線設定記憶手段２０３に登録されていない場合（ブロックＡ１でＮｏ）、無線設定生成手段２０５は、ＲＯＭ２１から既定設定情報を読み出すよう、設定読出手段２０６に指示する。設定読出手段２０６は、ＲＯＭ２１の所定の記憶領域に記憶されている既定設定情報を読み出し、無線設定生成手段２０５に送る（ブロックＡ２）。無線設定生成手段２０５は、送られてきた既定設定情報に、ＩＤ及びパスワードが含まれているか否かを判断する（ブロックＡ３）。既定設定情報にＩＤ及びパスワードが含まれていない場合（ブロックＡ３でＮｏ）、当該既定ネットワークのアクセスポイントに接続するための設定情報を無線設定生成手段２０５が生成することができないので、処理は終了する。
【００４４】
一方、既定設定情報にＩＤ及びパスワードが含まれている場合（ブロックＡ３でＹｅｓ）は、無線設定生成手段２０５は、既定設定情報がＩＤ、パスワードに加えて、既定ネットワークのアクセスポイントに接続するために必要な情報全てを含んでいるか否かを判断する（ブロックＡ４）。
【００４５】
既定設定情報がサービス名、ＩＤ、パスワードに加えて、既定ネットワークのアクセスポイントに接続するために必要な情報全てを含んでいる場合（ブロックＡ４でＹｅｓ）、無線設定生成手段２０５は、当該既定設定情報を無線制御手段１０２が使用可能な形式に変換し、無線設定記憶手段２０３に設けられた無線ＬＡＮ設定情報テーブルに記憶して登録する（ブロックＡ５）。既定設定情報がＩＤ及びパスワードの有効期間情報も含んでいる場合には、この有効期間情報も無線ＬＡＮ設定情報テーブルに記憶される。
【００４６】
既定ネットワークのアクセスポイントに接続するために充分な情報が、既定設定情報に含まれていない場合（ブロックＡ４でＮｏ）、無線設定生成手段２０５は、既定設定情報に含まれるサービス名、ＩＤ及びパスワードに基づいて、既定ネットワークのネットワーク名、暗号化鍵といった設定情報を生成して無線制御手段１０２が使用可能な形式に変換し、無線ＬＡＮ設定情報テーブルに記憶して登録する（ブロックＡ６）。既定設定情報に有効期間の情報が含まれている場合には、この有効期間情報も合わせて無線ＬＡＮ設定情報テーブルに記憶される。
【００４７】
図４は、無線設定記憶手段２０３に設けられる無線ＬＡＮ設定情報テーブルの一例を示す図である。図４で無線ＬＡＮ設定情報テーブルに記憶されているのは、図２に示す既定設定情報を基に生成された、既定ネットワーク（サービスＡ）のアクセスポイントに接続するための設定情報である。ここで、既定ネットワークの設定情報には、既定ネットワークの設定情報であることを示す情報が付加されてもよい。また、無線ＬＡＮ機器１が、この既定ネットワークに初めて接続する際には、その初回アクセスの日時が無線ＬＡＮ設定情報テーブルに記憶される。
【００４８】
以上のように、無線ＬＡＮ機器１の初回起動時に図３の設定処理が行われることで、ユーザ自身が無線ＬＡＮに関する設定を行わなくても、既定ネットワークのアクセスポイントに接続するための設定情報が、無線設定記憶手段２０３に自動的に登録される。
【００４９】
従って、いったん無線ＬＡＮ機器１の初回起動が行われて、既定ネットワークの設定情報が登録されると、無線設定選択手段２０１は、無線設定記憶手段２０３に記憶されている既定ネットワークの情報を読み出して表示部５に表示できる。ユーザは、操作部３を操作して表示された既定ネットワークを選択するだけで、無線ＬＡＮネットワークを利用することが可能になる。
【００５０】
なお、無線ＬＡＮ機器１からの接続に対して、ＩＤとパスワードに基づいて認証処理を行なうプロバイダ側の認証サーバにも、無線ＬＡＮ機器１のＲＯＭ２１に製造工程で書き込まれるものと同じＩＤとパスワードを予め登録しておく必要がある。無線ＬＡＮ機器１が出荷される前に、無線ＬＡＮ機器１の製造者によって当該認証サーバへの登録が行われてもよい。あるいは、プロバイダが認証サーバに予めＩＤとパスワードを登録し、登録されたＩＤとパスワードを無線ＬＡＮ機器１の製造者に提供するようにしてもよい。予め認証サーバに登録されたＩＤとパスワードが、無線ＬＡＮ機器１の製造時にＲＯＭ２１に書き込まれるため、ユーザによるＩＤとパスワードの入力を要せずに、無線ＬＡＮ通信が可能となる。
【００５１】
次に、製造時に予めＲＯＭ２１に書き込まれた設定情報を、ユーザが無線ＬＡＮ機器１以外の機器では使えないようにする方法について説明する。
【００５２】
製造時に予め書き込まれたＩＤとパスワードが他の無線ＬＡＮ機器でも使用されることを、プロバイダが望まない場合がある。例えばＭＡＣアドレスを用いると、無線ＬＡＮ機器を一意に特定することができる。このため、無線ＬＡＮ機器１のＭＡＣアドレスと既定ネットワークのＩＤ及びパスワードをセットで管理することで、特定の無線ＬＡＮ機器１でしかこの既定ネットワーク接続用のＩＤとパスワードを使用できないようにすることが可能である。ただし、このような管理方法では、認証を許可された全無線ＬＡＮ機器のＭＡＣアドレスを認証サーバが管理する必要があり、認証サーバの負担が大きい。
【００５３】
このため、本実施形態による無線ＬＡＮ機器１では、無線設定登録手段２０２が、無線設定記憶手段２０３から読み出した既定設定情報を表示する際に、以下のような処理が行われる。
【００５４】
図５は、設定情報を表示部５に表示する際に実行される表示処理のフローチャートである。
【００５５】
ユーザによる操作部３の操作によって、設定情報の表示指示を受信すると、無線設定登録手段２０２は、無線ＬＡＮ設定情報テーブル（図４、図７参照）からユーザの指示に応じた設定情報を読み出す（ブロックＢ１）。
【００５６】
無線設定登録手段２０２は、読み出した設定情報が既定設定情報であるか否かを判断する（ブロックＢ２）。読み出された設定情報が既定設定情報ではないと判断された場合は（ブロックＢ２でＮｏ）、パスワードのみを「＊＊＊＊＊」のようにアスタリスク等で表示し、他の情報はそのまま表示部５に表示する（ブロックＢ３）。すなわち、読み出された設定情報が既定情報でない場合、ＩＤは表示部５に表示され、ユーザはＩＤを視認することができる。
【００５７】
一方、読み出された設定情報が既定設定情報であると判断された場合は（ブロックＢ４）、既定ネットワーク接続用のＩＤ及びパスワードが「＊＊＊＊＊」のようにアスタリスク等で表示される（ブロックＢ４）。ＩＤとパスワード以外の情報は、表示部５にそのまま表示される。
【００５８】
このため、既定設定情報のＩＤに使用されている文字がユーザには認識できず、ユーザは、ＩＤとパスワードを読み取って他の無線機器に入力することができない。ユーザには分からないようにＩＤとパスワードを表示することにより、ユーザがこの既定ネットワーク接続用のＩＤとパスワードを他の無線ＬＡＮ機器で使用することを防ぐことができる。この場合、認証サーバにＭＡＣアドレスを登録して管理する必要が無いので、認証サーバの処理負荷が軽減される。
【００５９】
なお、上述の説明では、既定設定情報以外の場合でもパスワードをアスタリスク表示したが、パスワードもユーザに視認可能に表示してもよい。また、必要に応じて他の設定項目の情報もユーザには視認できないよう表示してもよい。
【００６０】
次に、ＩＤ及びパスワードの有効期間が切れた場合の処理について説明する。
【００６１】
製造時に書き込まれるＩＤとパスワードに対して、プロバイダが有効期間を設けることがある。本実施形態による無線ＬＡＮ機器１では、有効期間が過ぎて接続できないことをユーザに提示するために、以下の処理を行うことができる。
【００６２】
無線ＬＡＮ機器１を用いて無線ＬＡＮ通信を行う場合、無線設定選択手段２０１が、無線設定記憶手段２０３に設定が記憶されている無線ＬＡＮアクセスポイントの情報を読み出し、表示部５に表示する。ユーザは、操作部３を操作して、所望のアクセスポイントを選択する。ユーザによる無線ＬＡＮアクセスポイントの選択に応じて、図６に示す有効期間の確認処理を行うことが可能である。
【００６３】
図６は、無線設定選択手段２０１がユーザによるアクセスポイントの選択を受信すると実行される有効期間確認処理のフローチャートである。
【００６４】
ユーザが操作部３を操作して所望のアクセスポイントを選択すると、無線設定選択手段２０１は、選択されたアクセスポイントのネットワークへの初めての接続であるか否かを判断する（ブロックＣ１）。選択されたネットワークへの始めての接続であるか否かは、無線ＬＡＮ設定情報テーブルに記憶された当該ネットワークの設定情報に、初回アクセス日時が含まれるか否かに基づいて判断される。図７は、無線ＬＡＮ設定情報テーブルに記憶されるデータの一例を示す図である。図７では、既知ネットワークであるサービスＡの設定情報には初回アクセス日時の情報が含まれているが、サービスＢの設定情報には初回アクセス日時の情報が含まれていない。この場合、選択されたアクセスポイントのネットワークがサービスＡである場合、初回のアクセスではない（ブロックＣ１でＮｏ）と判断されるが、選択されたネットワークがサービスＢである場合は、初回のアクセスである（ブロックＣ１でＹｅｓ）と判断される。
【００６５】
選択されたネットワークへの初めての接続であると判断された場合（ブロックＣ１でＹｅｓ）、タイマ２０７が計時している現在日時が初回アクセス日時として無線ＬＡＮ設定情報テーブルに記憶され（ブロックＣ２）、選択されたアクセスポイントへの接続処理が行われる（ブロックＣ３）。すなわち、無線設定選択手段２０１は、ユーザの選択に応じて、選択された無線ＬＡＮアクセスポイントの情報を無線設定手段２０４に送信し、無線設定手段２０４は、送信されてきた設定情報に基づいて、無線制御部１０２の設定を行う。無線制御部１０２はこの設定に従って、選択された無線ＬＡＮアクセスポイントに接続し、無線通信を行う。
【００６６】
初めてのアクセスではないと判断された場合（ブロックＣ１でＮｏ）、選択されたアクセスポイントに接続するためのＩＤ及びパスワードの有効期間が無線ＬＡＮ設定情報テーブルから読み出され、初回アクセス日時から既に有効期間が過ぎているか否かが、タイマ２０７が計時している現在時刻に基づいて判断される（ブロックＣ４）。有効期間が経過していない場合、あるいは有効期間が設定されていない場合は（ブロックＣ４でＮｏ）、選択されたアクセスポイントへの接続処理が行われる（ブロックＣ３）。
【００６７】
有効期間が経過してしまい、期限切れとなっている場合は（ブロックＣ４でＹｅｓ）、表示部５の表示によって期限切れであることをユーザに提示する（ブロックＣ５）。
【００６８】
このようにして、有効期間が過ぎた無線ＬＡＮ設定に関して、期限切れで無線ＬＡＮサービスを利用できないことがユーザに提示することが可能である。
【００６９】
上述の図６の有効期間確認処理は、無線設定選択手段２０１がユーザによるアクセスポイントの選択を受信すると実行されるとして説明された。しかしながら、期限が切れたかどうかは、無線設定記憶２０３に記憶された有効期間とタイマ２０７が計時する現在時刻とを定期的に比較して判断されてもよい。
【００７０】
次に、既定設定情報を再設定する処理について説明する。
【００７１】
無線ＬＡＮ設定情報テーブル（図４、図７参照）に記憶された無線ＬＡＮアクセスポイントの設定情報は、無線登録手段２０２によって読み出され、表示部５に表示されてユーザに提示される。ユーザは操作部３を操作して、表示部５に表示された設定情報を編集することができる。このため、ユーザが誤った操作を行って、既定ネットワークの体験用のＩＤ又はパスワードを書き換えて上書きしてしまうことが起こりうる。この結果、無線ＬＡＮ機器１からは、公衆無線ＬＡＮサービスに接続できなくなる。
【００７２】
このような場合、ユーザは、表示部３を操作して空白のＩＤ及びパスワードを無線設定登録手段２０２に登録する。これは、表示部５に表示されたＩＤ欄及びパスワード欄を空白のままにして、操作部３に設けられた所定の登録ボタンを押下する等の操作によって可能である。すると、以下のような手順で既定ネットワークに接続するためのＩＤ及びパスワードの再設定が可能となる。
【００７３】
図８は、既定ネットワークのアクセスポイントの再設定処理を示すフローチャートである。無線設定登録手段２０２は、ユーザが操作部３を操作して登録を指示した設定情報のＩＤ及びパスワードが空白であるか否かを判断する（ブロックＤ１）。ユーザが登録した設定情報に空白のＩＤ及び空白のパスワードが含まれていなければ（ブロックＤ１でＮｏ）、ＩＤ及びパスワードの再設定は必要ないため、当該登録された情報が無線設定生成手段２０５によって変換され、無線ＬＡＮ設定情報テーブルに記憶され（ブロックＤ２）、処理を終了する。
【００７４】
ユーザが登録した設定情報に空白のＩＤ及び空白のパスワードが含まれている場合は（ブロックＤ１でＹｅｓ）、無線設定登録手段２０２は、空白のＩＤとパスワードを無線設定生成手段２０５に渡し、無線設定生成手段２０５は、ＲＯＭ２１に記憶されている既定ネットワークの設定情報（既定設定情報）を読み出すよう、設定読出手段２０６に指示する。設定読出手段２０６は、ＲＯＭ２１の所定の記憶領域に記憶されている既定設定情報を読み出して、無線設定生成手段２０５に送る（ブロックＤ３）。無線設定生成手段２０５は、既定設定情報がサービス名、ＩＤ、パスワードに加えて、既定ネットワークのアクセスポイントに接続するために必要な情報全てを含んでいるか否かを判断する（ブロックＤ４）。
【００７５】
既定設定情報がサービス名、ＩＤ、パスワードに加えて、既定ネットワークのアクセスポイントに接続するために必要な情報全てを含んでいる場合（ブロックＤ４でＹｅｓ）、無線設定生成手段２０５は、既定設定情報を無線制御手段１０２が使用可能な形式に変換し、無線ＬＡＮ設定情報テーブルに登録する（ブロックＤ５）。
【００７６】
既定ネットワークのアクセスポイントに接続するために充分な情報が、既定設定情報に含まれていない場合（ブロックＤ４でＮｏ）、無線設定生成手段２０５は、既定設定情報に含まれるサービス名、ＩＤ及びパスワードに基づいて、既定ネットワークのネットワーク名、セキュリティの種類、暗号化の種類、暗号化鍵といった設定情報を生成して無線制御手段１０２が使用可能な形式に変換し、無線ＬＡＮ設定情報テーブルに記憶する（ブロックＤ６）。
【００７７】
このように、空白のＩＤ及びパスワードを登録することで、既定ネットワークに接続するためのＩＤ及びパスワードの再設定が可能となる。
【００７８】
ユーザが既定ネットワークの正規のＩＤ及びパスワードを入手した後、この正規のＩＤ及びパスワードの有効期限が切れてしまったり、正規のＩＤやパスワードを誤って編集してしまったりするようなことが起こりうる。このような場合にも、既定の公衆無線ＬＡＮサービスを使用するため、図８の再設定処理によって、ＲＯＭ２１に予め記憶された既定設定情報のＩＤ及びパスワードを再設定することもできる。
【００７９】
以上のように、本実施形態の無線ＬＡＮ機器１では、無線ＬＡＮ機器１の製造時に予め既定ネットワークのアクセスポイントに接続するための既定設定情報がＲＯＭ２１に書き込まれている。無線ＬＡＮ機器１の初回起動時に、既定設定情報がＲＯＭ２１から読み出されて、無線設定記憶手段２０３に登録される。このため、ユーザが煩雑な無線ＬＡＮ設定を行う必要はない。
【００８０】
本実施形態の無線ＬＡＮ機器１によれば、既定設定情報に含まれるＩＤ及びパスワードを表示部５に表示する場合には、ＩＤ及びパスワードがユーザに分からないように表示する。このため、ユーザが読み取ったＩＤやパスワードを他の無線機器に入力することができなくなり、特定の無線ＬＡＮ機器１以外の無線機器で既定設定情報のＩＤやパスワードが使用されることを防ぐことができる。
【００８１】
また、既定設定情報に含まれるＩＤ及びパスワードには有効期間が設定されている場合があるが、有効期間が経過した際には、表示部５の表示によって期限切れであることをユーザに知らせることができる。従って、ユーザは、機器の故障やネットワークの不具合等で接続できない場合と区別して、有効期限で接続できない場合を認識できるようになる。
【００８２】
また、本実施形態の無線ＬＡＮ機器１では、空白のＩＤ及び空白のパスワードが入力された場合には、ＲＯＭ２１に記憶された既定設定情報が読み出されて、既定ネットワークに接続するためのＩＤ及びパスワードが復活し、再設定が可能となる。
【００８３】
本実施形態においては、図２に示すように、１つの公衆無線ＬＡＮサービスの提供者（プロバイダ）が提供するＩＤやパスワード等の無線ＬＡＮの設定情報が、無線ＬＡＮ機器１の製造時にＲＯＭ２１に書き込まれた。しかしながら、複数の無線ＬＡＮサービスの設定情報が予めＲＯＭ２１に書き込まれていてもよい。
【００８４】
無線ＬＡＮ機器１の製造時にＲＯＭ２１に書き込まれるＩＤ及びパスワードが機器毎に設定されていれば、機器ごとの初回接続日時や接続回数等の情報は、認証サーバによって管理することも可能である。有効期間が過ぎており接続できないという情報が認証サーバから送られてきた場合に、表示部５の表示によって期限切れであることをユーザに知らせるようにしてもよい。
【００８５】
本実施形態では、既定ネットワークのアクセスポイントに接続するためのＩＤとパスワードを表示部５に表示する際に、ＩＤとパスワードを「＊＊＊＊＊」のようにアスタリスク等で表示する例について説明した。しかしながら、表示の方法はアスタリスクに限られず、ユーザがＩＤとパスワードを認識できないような表示方法であればよい。また、ＩＤとパスワードをユーザが視認できないように表示するとしたが、その他ネットワーク名（ＳＳＩＤ）等の情報も、プロバイダの要求に応じて、ユーザが認識できないように表示してもよい。
【００８６】
本実施形態では、ネットワークに無線接続する例について説明した。しかしながら、ネットワークに有線接続するための設定情報が予め記憶されていてもよい。当該設定情報も図３及び図８に示す処理と同様の処理によって、設定及び再設定が可能である。また予め記憶される設定情報が有線接続のための設定情報である場合も、図５に示す処理と同様の処理によって、当該設定情報に含まれるＩＤ及びパスワードは、ユーザが認識できないように表示することができる。図６の処理と同様に有効期間の確認を行うこともできる。
【００８７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００８８】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【００８９】
また、上述の説明は個々の実施例それぞれについて行ったが、複数の実施例を適宜組み合わせてもよい。
【図面の簡単な説明】
【００９０】
【図１】本発明の無線通信装置の実施形態に係る無線ＬＡＮ通信機能を有する情報機器（無線ＬＡＮ機器）の電気的構成を示すブロック図。
【図２】無線ＬＡＮ機器の製造時にＲＯＭに書き込まれる既定設定情報の一例を示す図。
【図３】既定ネットワークの設定処理を示すフローチャート。
【図４】無線ＬＡＮ設定情報テーブルに記憶されるデータの一例を示す図。
【図５】設定情報表示処理のフローチャート。
【図６】有効期間確認処理のフローチャート。
【図７】無線ＬＡＮ設定情報テーブルに記憶されるデータの他の一例を示す図。
【図８】既定ネットワークのアクセスポイントの再設定処理を示すフローチャート。
【符号の説明】
【００９１】
３…操作部、５…表示部、１１…制御部、２１…ＲＯＭ、１０２…無線制御部、２０１…無線設定選択手段、２０２…無線設定登録手段、２０３…無線設定記憶手段、２０４…無線設定手段、２０５…無線設定生成手段、２０６…設定読出手段、２０７…タイマ。
【要約】
【課題】無線設定情報の使用を所定の無線通信装置のみに制限すること。
【解決手段】無線通信を行うための無線制御部１０２を有する無線ＬＡＮ機器１は、装置固有のＩＤやパスワード等の装置固有情報を含む情報が予め書き込まれているＲＯＭ２１を備えている。無線設定生成手段２０５は、ＲＯＭ２１に予め書き込まれている情報に基づいて、無線制御部１０２が所定のネットワークに接続するための設定情報を生成する。無線設定生成手段２０５が生成した設定情報は、無線設定記憶手段２０３に記憶される。無線設定登録手段２０２は、無線設定記憶手段２０３に記憶された装置固有情報を表示部５に表示する際に、ユーザには認識できないように表示する。
【選択図】      図１【図１】
0004296217.tif 000002
【図２】
0004296217.tif 000003
【図３】
0004296217.tif 000004
【図４】
0004296217.tif 000005
【図５】
0004296217.tif 000006
【図６】
0004296217.tif 000007
【図７】
0004296217.tif 000008
【図８】
0004296217.tif 000009